(57)【要約】本発明は、アームの端部（３０６）が端部片（３０７）の端部（３１３）に平行である、安定した開放位置から、ヒンジのナックル（Ｃ１，Ｃ２）間を通過する一致平面（Ｐ、Ｐ′）に属する支持点（３１１）の周りで回動させることによって、不安定な過剰開放位置までアームを移動可能にする。対称面（Ｘ，Ｘ′）を有する本発明のフレームは、支持点（３１１）が一致平面（Ｐ、Ｐ′）のアームの外面（３０９）より対称面（Ｘ，Ｘ′）により近く位置することを特徴とする。
2006511849.tif 000002
【特許請求の範囲】
【請求項１】
２つの側部（３０１；４０１；５０１）が前記側部を移動可能にする伸縮式ヒンジによって関着されるフレーム面（３０２；４０２；５０２）を備えるタイプの眼鏡フレームであって、
・安定した開放位置から、前記側部の近位端と呼ばれる前記ヒンジ側端部（３０６；４０６；５０６）は前記フレーム面の一部を構成するスタブ（３０７；４０７；５０７）の近位端と呼ばれる前記ヒンジ側端部（３１３；４１３；５１３）に対して平行であり且つ極めて近接しており、前記近位端は、前記ヒンジのナックル（Ｃ１、Ｃ２；Ｃ１′、Ｃ２′）間を通過する係合平面（Ｐ、Ｐ′）を規定し、
・不安定な過剰開放位置まで、前記係合平面に位置する支持点（３１１；４１１；５１１）の周りに回動させることによって、前記側部は外面（３０９；４０９；５０９）及び内面（３０８；４０８；５０８）を具備し、前記フレームは前記フレーム面（３０２；４０２；５０２）の全平面に直交する対称平面（Ｘ、Ｘ′）を具備する眼鏡フレームにおいて、
前記支持点（３１１；４１１；５１１）が、前記係合平面（Ｐ，Ｐ′）の水準で測定された、前記側部の外面（３０９；４０９；５０９）より前記対称平面（Ｘ、Ｘ′）により近く位置することを特徴とする眼鏡フレーム。
【請求項２】
前記側部の近位端（３０６；４０６；５０６）及び前記スタブの近位端（３１３；４１３；５１３）は係合領域（Ｚ３；Ｚ４；Ｚ５）を有し、しかも前記支持点（３１１；４１１；５１１）は前記係合領域の外縁に位置することを特徴とする、請求項１に記載のフレーム。
【請求項３】
前記係合領域の厚さは、前記側部（３０１；５０１）の厚さよりも薄い厚さ（Ｚ３；Ｚ５）から零の厚さ（Ｚ４））までに及ぶことを特徴とする、請求項２に記載のフレーム。
【請求項４】
前記側部の近位端（３０６；４０６；５０６）及び前記スタブの近位端（３１３；４１３；５１３）は前記側部の外面（３０９；４０９；５０９）及び／又は前記スタブの外面（３１０；４１０；５１０）からの凹みを有することを特徴とする、請求項１から請求項３までのいずれか１項に記載のフレーム。
【請求項５】
前記凹所は、前記側面の近位端（３０６；５０６）及び前記スタブの近位端（３１３；５１３）を１．５ｍｍ未満の厚さまで減じることを特徴とする、請求項４に記載のフレーム。
【請求項６】
前記凹所は面取り部（１２；５１２）であることを特徴とする、請求項４または請求項５に記載のフレーム。
【請求項７】
前記凹所が前記側面の近位端（４０６）と前記スタブの近位端（４１３）との間で１ｍｍ〜５ｍｍの間隙の形態をしていることを特徴とする、請求項１から請求項４までのいずれか１項に記載のフレーム。
【請求項８】
安定した正常な開放位置では、前記側部（５０９）の外面は、前記スタブの外面（５１０）に対して凹んだ角度（α）を成すことを特徴とする、請求項１から請求項７までのいずれか１項に記載のフレーム。
【発明の詳細な説明】
【技術分野】
【０００１】
本発明は“伸縮式”タイプのヒンジを備える眼鏡フレームに関する。
【背景技術】
【０００２】
殆どのヒンジのように、“伸縮式”ヒンジは、互いに対して支持し且つ回転ピンによって連結される、２つの要素を備える。
２つの前記要素の少なくとも１つは可動であり、可動部材には、ハウジング内でスライドするように装着され、かつ回転ピンと協働する手段を備えるタイロッド、及び戻りばねを含む特別の形状構成を有する。
【０００３】
眼鏡フレームを着用者の顔に嵌める時、これらの伸縮式ヒンジは有利である。何故なら、これらは２°〜８°までの側部の過剰開放を可能にする。これは別の第３者（眼鏡屋）によってなされる場合の特に取り付けを容易にする。伸縮式ヒンジは顔へのフレームの取付も改善する。何故なら、開放過剰位置は不安定であるからである。フレームを取り付けている人によって、一旦、側部が解放されると、これらは、戻りばねの作用下で、着用者の顔の側部に載るようになる。
【０００４】
着用者のための快適な取付を保証するために、側部が、眼鏡フレームを定位置に保持するために十分ではあるが支持可能でないほどまでではない力で顔の側部に載せることは重要である。この支持力の強さは戻し力に依存する。
【０００５】
伸縮式ヒンジは大量生産され、組立状態でレンズメーカーに配送される。その結果、後者であるレンズメーカーは戻し力を調整することができない。
【０００６】
過剰解放位置では、近位端として知られている側部のヒンジ側端部は眼鏡フレームの一部を構成するスタブの近位端としてのヒンジ側端部に載り、こうして側部の厚さに比例する寸法のレバーアームを創出する。
【０００７】
ヒンジが、例えば、金属製の薄い側部に固定される場合、この支持点は伸縮式ヒンジの回転ピンに近く設置される。
【０００８】
これに反して、テレスコピック式ヒンジが薄い側部に固着される場合、側部は、通常、眼鏡フレームを作るために通常は使用される、アセテート又は射出モールド成形熱可塑性プラスチックで作られ、支持点はヒンジの回転ピンに対して極めて偏倚され、その結果、同じ角度の過剰解放に対して、側部の戻し力は、着用者の快適性を与える範囲まで、薄い側部の場合より極めて大きくなければならない。眼鏡屋がこれを直す唯一のオプションはフレームの側部を変形することである。それだけのことである操作が扱い難くなればなるほどに側部はより厚くなる。
【発明の開示】
【発明が解決しようとする課題】
【０００９】
本発明は、ばねの戻し力が１つのフレームモデルからのものと同じであるような、より詳細にはフレームの厚さの如何によらない解決策を提案する。
【課題を解決するための手段】
【００１０】
本発明が適用される眼鏡フレームのタイプは、２つの側部が前記側部を移動可能にする伸縮式ヒンジによって関着されるフレーム面を備え、
・安定した開放位置から、前記側部の“近位端”と呼ばれる前記ヒンジ側端部は前記フレーム面を構成するスタブの“近位端”と呼ばれる前記ヒンジ側端部に対して平行であり且つ極めて近接しており、前記近位端は、前記ヒンジのナックル間を通過する係合平面を規定し、
・不安定な過剰開放位置まで、前記係合平面に位置する支持点の周りに回動させることによって、前記側部は外面及び内面を具備し、前記フレームは前記フレーム面の全体平面に直交する対称平面を具備する。
【００１１】
本発明によれば、前記支持点は、前記係合平面の水準で測定された、前記側部の外面により前記対称平面により近く位置する。
【００１２】
”側部の外面からセットバックされた”として別様に記載し得るこの支持点は、厚い側部を具備するフレームをして薄い側部を具備するフレームのように挙動せしめ、その結果として、同じ過剰解放角度を得るために小さな力しか必要としない。
【００１３】
１つの特定実施形態では、側部の近位端及びスタブの近位端は係合領域を有し、支持点は前記係合領域の外縁に位置する。
【００１４】
有利なことに、前記側部の近位端及び／又は前記スタブの近位端は、前記側部の外面及び／又は前記スタブの外面からの、凹所を有する。これは、係合領域が前記側部と同じである場合にそうであろう係合領域の厚さと比べて係合領域の厚さの減少を生じさせる。
【００１５】
好ましくは、例えば、面取り部とし得る、前記凹所は前記側部の近位端及び／又は前記スタブの近位端を１．５ｍｍ未満に減じる。換言すれば、係合領域は１．５ｍｍ未満の厚さである。
【００１６】
別の特別な実施形態では、係合領域の厚さは零又は殆ど零とし得る。かくして、前記凹所は前記側部の近位端及び／又は前記スタブの近位端の間で１ｍｍ〜５ｍｍまでの間隙の形態とし得る。この場合、支持点はヒンジそれ自体に位置する。この実施形態は、アセテート又は射出モールド成形による熱可塑性プラスチック製の側部に廉価に適用し得る。特に、要求されて全てのものは、所望の側部を得るために、この幾何形状をこうした側部の機械加工、あるいは射出モールド成形の形状で形成することである。
【００１７】
従来技術において、安定した通常は開放している形状構成では、側部は眼鏡フレームに対して実質的に直角である。このために、ヒンジは、近位端が当接している時は、通常開放位置で、スタブ及び側部の外面が整合される。これは、概ね２°〜８°の角度αだけ過剰開放している位置では、フレーム面に固定されたスタブの外面と、側部の外面との間の線内に非常に魅力的な”破断(break)”はない。
【００１８】
この審美的欠点を克服するために、本発明はフレームの構成に角度αの統合を提案する。このため、安定した開放位置では、側部の外面はスタブの外面の平面に対して再入する角度を成す。
【発明を実施するための最良の形態】
【００１９】
図１ａ及び図１ｂは、従来技術の眼鏡フレームの２つの薄い側部１０１の1つの一部と、伸縮自在のヒンジＣ１、Ｃ２によって関着されたフレーム面１０２の一部と、を示し、ヒンジの回動点３、タイロッド４、及び戻りばね５が線図式に示された図である。側部１０１は、フレーム面１０２の一部を構成するスタブ１０７の”近位端”と呼ばれる、ヒンジ側端部１１３に平行且つ極めて近接した、”近位端”と呼ばれるヒンジ側端部１０６を備える。近位端１０６及び１１３は面と面で接する領域である係合領域Ｚ１を有する。ナックル部Ｃ１及びＣ２は同様に互いに面する近位端１５及び１６を有する。係合領域Ｚ１は、ナックル部の近位端１５及び１６と、スタブ１０７の側部１０１の近位端１０６及び１１３との間をそれぞれ通過する係合平面Ｐ、Ｐ′にある。側部１０１は内面１０８及び外面１０９を有する。
図１ａでは、側部１０１は、静止した開放位置にあり、かつその外面１０９はスタブ１０７の外面１１０と整合している。
【００２０】
図１ｂは図１ａと同じフレーム部分を示すが、この態様では、ばね５の力に反して、係合領域Ｚ１の外縁に位置する支持点１１１の回りに回動させることによって不安定な過剰に開放位置に移動する。この位置では、側部１０１の外面はフレーム面１０２のスタブ１０７の外面１１０と２°〜８°の間の角度αを成す。
【００２１】
図２ａ及び図２ｂは、図１ａ及び図１ｂと要素は同じであるが、それぞれ、図１ａ及び図１ｂとは１００だけ増加されて変更されたが同じ役割をする参照符号及び要素を保持し、面２０２及び側部２０１がこの態様では厚いという事だけが異なる。
【００２２】
よって、図２ａと図２ｂを比較すれば分かるように、係合領域Ｚ２は係合領域Ｚ１より厚い。従って、支持点２１１とヒンジの回動点３との間の距離は、薄い側部１０１の場合よりも、厚い側部２０１の方が極めて大きくなる。結果として、同じ角度の過剰開放に対して、厚い側部２０１の場合には、タイロッド４のより長い長さをヒンジから引き出さなければならず、これはばね５をより多く圧縮しなければならないことを意味する。それ故に、ばねは、着用者には不快なより大きな戻り力を作用させる。
【００２３】
図３ａ及び図３ｂは、図１ａ及び図１ｂと要素は同じであるが、図１ａ及び図１ｂとは２００だけ増加されて変更されたが同じ役割を果たす参照符号及び要素を保持し、図２ａ及び図２ｂのそれぞれと異なるのは、スタブ３０７の近位端３１３が面取り部１２を有するという事だけが異なる。この面取り部１２によって、係合領域Ｚ３は係合領域Ｚ１の厚さに近い厚さまで減じられ、かつ支持点３１１は同じ側部厚さに対して、図２ｂにおけるよりも回動点３により近い。実際、薄い側部１０１を描いた図１ｂの場合におけるよりも回動点３から同じ距離とし得る。
【００２４】
図４ａ及び図４ｂは、図１ａ及び図１ｂと要素は同じであるが、図１ａ及び図１ｂとは３００だけ増加されて変更されたが同じ役割を果たす参照符号及び要素を保持し、本発明の第２実施形態による眼鏡フレームの２つの側部４０１の１つを示す。今度は、側部４０１の近位端４０６と、スタブ４０７の近位端４１３との間には間隙１４が存在する。係合領域Ｚ４はここでは厚さが零であり、かつ支持点４１１は、ヒンジのナックル部Ｃ１及びＣ２の対向する端面１５及び１６が係合する領域の外側端縁と一致する。これは厚い側部を具備する眼鏡フレームであるが、図１ａ及び図１ｂの場合におけるよりも近くさえあるから、この間隙１４によって、支持点４１１は支持点３に可能な限り近づく。
【００２５】
図５ａ及び図５ｂは、図１ａ及び図１ｂと要素は同じであるが、図１ａ及び図１ｂとは４００だけ増加されて変更されたが同じ役割を果たす参照符号及び要素を保持し、本発明の第３実施形態による眼鏡付フレームの２つの側部５０１の１つを示す。上述の実施態様とは異なり、不安定な過剰開放位置で、側部５０１の外面５０９とスタブ５０７の外面５１０が、眼鏡が摩滅される位置である不安定な過剰開放位置に整合される。この錠止を行うために、側部５０１の近位端５０６と、スタブ５０７の近位端５１３と、ヒンジＣ１′及びＣ２′の対向する端部面５１５及び５１６にも変更がなされた。より詳細には、これらの端部５０６、５１３、５１５、及び５１６は、安定した開放位置（図５ａ）において、側部５０１の外面５０９がスタブ５０７の外面５１０の平面に対して内側に凹む角度αを成す。この特別な配置構成を除いて、図５ａ及び図５ｂの実施形態は、係合領域Ｚ５が参照符号５１２におけるスタブ５０７の面取り部によりより薄いという点で図３ａ及び図３ｂと同じタイプである。従って、支持点５１１は回動点により近い。
【００２６】
当然ながら、本発明は説明し図示した実施形態に限定されるものではない。従って、例えば、面取り部１２又は５１２はスタブの近位端に作ることができた。さらにまた、面取り部以外の任意の形態で作られる凹所も可能である。
【図面の簡単な説明】
【００２７】
【図１ａ】安定した開放位置にある従来技術の薄い側部を具備する眼鏡フレームのテレスコピック関着領域の平面図である。
【図１ｂ】図１ａと同じ関着領域であるが不安定な過剰開放位置にある場合の従来技術の薄い側部を具備する眼鏡フレームの平面図である。
【図２ａ】安定した開放位置にある従来技術の薄い側部を具備する眼鏡フレームのテレスコピック関着領域の平面図である。
【図２ｂ】図２ａと同じ関着領域であるが不安定な過剰開放位置にある場合の従来技術の薄い側部を具備する眼鏡フレームの平面図である。
【図３ａ】安定した開放位置にある本発明の第１実施形態による薄い側部を具備する眼鏡フレームのテレスコピック関着領域の平面図である。
【図３ｂ】図３ａと同じ関着領域であるが不安定な過剰開放位置にある場合の本発明の第１実施形態による薄い側部を具備する眼鏡フレームの平面図である。
【図４ａ】本発明の第２実施形態による薄い側部を具備する眼鏡フレームのテレスコピック関着領域の平面図である。
【図４ｂ】図４ａと同じ関着領域であるが不安定な過剰開放位置にある場合の本発明の第２実施形態による薄い側部を具備する眼鏡フレームの平面図である。
【図５ａ】本発明の第３実施形態による薄い側部を具備する眼鏡フレームのテレスコピック関着領域の平面図である。
【図５ｂ】図５ａと同じ関着領域であるが不安定な過剰開放位置にある場合の本発明の第３実施形態による薄い側部を具備する眼鏡フレームの平面図である。
【符号の説明】
【００２８】
３  回動点
４  タイロッド
５  戻りばね
１２，５１２  面取り部
１４  間隙
１５、１６  端面
１０２、２０２、３０２、４０２、５０２  フレーム面
１０７、２０７、３０７、４０７、５０７  スタブ
１１０、２１０、３１０、４１０、５１０  外面
１１３、２１３、３１３、４１３、５１３  近位端
１０６、２０６、３０６、４０６、５０６  端部
１０１、２０１、３０１、４０１、５０１  側部
１０９、２０９、３０９、４０９、５０９  外面
１０８、２０８、３０８、４０８、５０８  内面
５１５、５１６  端部
Ｃ１、Ｃ２  ヒンジ
Ｃ２、Ｃ２′  ヒンジ
Ｚ１〜Ｚ５  係合領域
2006511849.tif 000003
2006511849.tif 000004
2006511849.tif 000005
2006511849.tif 000006
2006511849.tif 000007
【国際調査報告】
2006511849.tif 000008
2006511849.tif 000009
2006511849.tif 000010
2006511849.tif 000011
2006511849.tif 000012
2006511849.tif 000013